(57)【要約】【課題】サーチ再生時に所望の画像又は記録位置をユーザが容易に視認できるようにする。【解決手段】サーチコーデック実行部１０６は、画像メモリ１０３から動画像データを読み込み、解像度変換を行ってサーチ画像データを生成する。この場合に、動画像データの特定フレームの一部の領域を拡大し、その拡大した特定フレームの画像データを用いてサーチ再生用画像データを生成できるようになっている。【選択図】図１
2007166549.tif 000002
【特許請求の範囲】
【請求項１】
入力された動画像データを符号化する符号化手段と、
前記動画像データの特定フレームの一部の領域を拡大し、前記拡大した特定フレームの画像データを用いてサーチ再生用画像データを生成するサーチ画像データ生成手段と、
前記符号化手段により符号化した動画像データと前記サーチ画像データ生成手段により生成したサーチ画像データとを多重化して記録媒体に記録する記録手段とを備えたことを特徴とする画像記録装置。
【請求項２】
前記動画像データは撮像手段より出力され、前記サーチ画像データ生成手段は、前記動画像データを撮影した際のフォーカス位置を基準にして前記一部の領域を抽出することを特徴とする請求項１に記載の画像記録装置。
【請求項３】
前記サーチ画像データ生成手段は、前記特定フレームの画像の中心を基準にして前記一部の領域を抽出することを特徴とする請求項１に記載の画像記録装置。
【請求項４】
前記サーチ画像データ生成手段は、前記一部の領域を予め決められたサイズに拡大するとともに、記録時間に応じて前記一部の領域のサイズを変化させることを特徴とする請求項１〜３のいずれか１項に記載の画像記録装置。
【請求項５】
前記サーチ画像データ生成手段は、前記拡大した特定フレームの画像データに対してフレーム枠を重畳することを特徴とする請求項１〜４のいずれか１項に記載の画像記録装置。
【請求項６】
前記サーチ画像データ生成手段は、前記拡大した特定フレームの画像データに対してアイコン又は文字情報を重畳することを特徴とする請求項１〜４のいずれか１項に記載の画像記録装置。
【請求項７】
前記サーチ画像データ生成手段は、前記動画像データの記録開始又は記録停止の指示に応じて前記拡大した特定フレームの画像データを用いたサーチ再生用画像データを生成することを特徴とする請求項１に記載の画像記録装置。
【請求項８】
前記サーチ画像データ生成手段は更に、前記特定フレームを拡大処理することなく第２のサーチ再生用画像データも生成し、前記動画像データの記録開始から予め決められた期間は前記拡大した特定フレームの画像データを用いたサーチ再生用画像データを生成し、前記予め決められた期間以降は前記第２のサーチ再生用画像データを生成することを特徴とする請求項７に記載の画像記録装置。
【請求項９】
動画像データを符号化する符号化手順と、
前記動画像データの特定フレームの一部の領域を拡大し、前記拡大した特定フレームの画像データを用いてサーチ再生用画像データを生成するサーチ画像データ生成手順と、
前記符号化手順により符号化した動画像データと前記サーチ画像データ生成手順により生成したサーチ画像データとを多重化して記録媒体に記録する記録手順とを有することを特徴とする画像記録方法。
【請求項１０】
動画像データを符号化する符号化処理と、
前記動画像データの特定フレームの一部の領域を拡大し、前記拡大した特定フレームの画像データを用いてサーチ再生用画像データを生成するサーチ画像データ生成処理と、
前記符号化処理により符号化した動画像データと前記サーチ画像データ生成処理により生成したサーチ画像データとを多重化して記録媒体に記録する記録処理とをコンピュータに実行させることを特徴とするコンピュータプログラム。
【発明の詳細な説明】
【技術分野】
【０００１】
本発明は、符号化した動画像データとサーチ画像データとを多重化して記録媒体に記録する画像記録装置、方法、及びコンピュータプログラムに関する。
【背景技術】
【０００２】
従来、撮影した画像信号をテープに記録するビデオカメラが従来から知られている。
【０００３】
また、近年では、高精細（ＨＤ）画像データをＭＰＥＧ方式で符号化し、テープに記録再生するビデオカメラも登場している。この種のビデオカメラにおいては、通常再生機能の他に高速再生機能を持つことが一般的である。高速再生時には、テープを通常再生時（記録時）の速度よりも高速に搬送しながらテープ上のトラックを回転ヘッドで走査してデータを再生する。その際、ヘッドがトラックを横切って走査することになるため、データが断片的に再生されることになる。
【０００４】
ＭＰＥＧ方式ではフレーム間予測符号化を用いているため、画像データを復号するためには予測符号化時に用いた参照フレームのデータが必要となる。しかしながら、前述したように、高速再生時には断片的にしかデータを得ることができないため、ＭＰＥＧデータを正しく復号することができなくなることが考えられる。
【０００５】
そこで、通常再生用のＭＰＥＧデータとは別に、所定期間毎に１フレームのデータを抽出し、解像度を低下した後にフレーム内符号化したサーチ画像データを生成し、これを高速再生時におけるヘッドの走査軌跡に応じた領域に記録することが行われている（例えば、特許文献１を参照）。
【０００６】
【特許文献１】特開２００２−２１６４３３号公報
【発明の開示】
【発明が解決しようとする課題】
【０００７】
しかしながら、前述したように生成されるサーチ画像データは、通常再生用のＭＰＥＧデータに比べて解像度やフレームレートが低くなっているため、ユーザが所望画像を検索することが困難であるという問題があった。
【０００８】
本発明は上記のような点に鑑みてなされたものであり、サーチ再生時に所望の画像又は記録位置をユーザが容易に視認できるようにすることを目的とする。
【課題を解決するための手段】
【０００９】
本発明の画像記録装置は、入力された動画像データを符号化する符号化手段と、前記動画像データの特定フレームの一部の領域を拡大し、前記拡大した特定フレームの画像データを用いてサーチ再生用画像データを生成するサーチ画像データ生成手段と、前記符号化手段により符号化した動画像データと前記サーチ画像データ生成手段により生成したサーチ画像データとを多重化して記録媒体に記録する記録手段とを備えた点に特徴を有する。
本発明の画像処理方法は、動画像データを符号化する符号化手順と、前記動画像データの特定フレームの一部の領域を拡大し、前記拡大した特定フレームの画像データを用いてサーチ再生用画像データを生成するサーチ画像データ生成手順と、前記符号化手順により符号化した動画像データと前記サーチ画像データ生成手順により生成したサーチ画像データとを多重化して記録媒体に記録する記録手順とを有する点に特徴を有する。
本発明のコンピュータプログラムは、動画像データを符号化する符号化処理と、前記動画像データの特定フレームの一部の領域を拡大し、前記拡大した特定フレームの画像データを用いてサーチ再生用画像データを生成するサーチ画像データ生成処理と、前記符号化処理により符号化した動画像データと前記サーチ画像データ生成処理により生成したサーチ画像データとを多重化して記録媒体に記録する記録処理とをコンピュータに実行させる点に特徴を有する。
【発明の効果】
【００１０】
本発明によれば、符号化した動画像データとサーチ画像データとを多重化して記録する場合に、拡大サーチ画像データを記録することができる。これにより、サーチ再生時に所望の画像又は記録位置をユーザが容易に視認することができる。
【発明を実施するための最良の形態】
【００１１】
以下、添付図面を参照して、本発明の好適な実施形態について説明する。
（第１の実施形態）
図１は、本発明を適用した実施形態に係る画像記録再生装置１００の概略構成を示すブロック図である。１０１は被写体からの光を電気信号に変換するレンズユニットであり、レンズ、ＣＣＤ等の画像素子を含む。１０２はカメラ信号処理部であり、レンズユニット１０１からの信号に対して信号処理を行って動画像データへ変換する。
【００１２】
１０３は画像メモリであり、カメラ信号処理部１０２から出力される動画像データを一時的に保持する。１０４はＭＰＥＧコーデック（MPEG Codec）実行部であり、画像メモリ１０３に保持されている動画像データをＭＰＥＧデータへ圧縮し、データメモリ１０５に出力する機能と、データメモリ１０５に保持されているＭＰＥＧデータを伸張し、画像メモリ１０３に出力する機能とを持つ。
【００１３】
１０５はデータメモリであり、ＭＰＥＧコーデック実行部１０４から出力されるＭＰＥＧデータやサーチコーデック実行部１０６から出力されるサーチ画像（検索用画像）データを一時的に保持する。
【００１４】
１０６はサーチコーデック実行部であり、画像メモリ１０３から動画像データを読み込み、解像度変換を行ってサーチ画像データを生成する。サーチコーデック実行部１０６は、動画像データの特定フレームを用いた通常サーチ画像データに加えて、動画像データの特定フレームの一部の領域を用いた拡大サーチ画像データを生成する機能を持つ。
【００１５】
１０７はフォーカス検知部であり、レンズユニット１０１及びカメラ信号処理１０２からデータを収集し、撮影画面上でのフォーカス位置を検出する。１０８はユーザとのインタフェースとなる操作キーである。１０９は画像記録再生装置１００の全体を制御するＣＰＵである。１１０は表示出力部であり、画像メモリ１０３に保持されている所望の画像データを読み込んで、ＬＣＤ等の表示装置、ラインアウト等へ出力する。
【００１６】
１１１は分離多重化部であり、データメモリ１０５に一時的に保持されているＭＰＥＧデータとサーチ画像データとを多重化して記録再生部１１２に出力したり、記録媒体１１３から記録再生部１１２を介して再生された記録データをＭＰＥＧデータとサーチ画像データとに分離したりする。
【００１７】
１１２は記録再生部であり、エラー訂正信号付加を行って記録媒体１１３にデータを記録したり、記録媒体１１３から再生された記録データにエラー訂正処理を行ってデータメモリ１０５に出力したりする。１１３はテープメディア等の記録媒体であり、画像記録再生装置１００から脱着可能となっている。
【００１８】
かかる画像記録再生装置１００において、通常のカメラ記録動作時には、レンズユニット１０１により被写体像を電気信号に変換し、レンズユニット１０１からの信号をカメラ信号処理部１０２により動画像データへ変換して、画像メモリ１０３に保持させる。このとき、ＣＰＵ１０９により撮影画面上の異なる複数の領域毎に信号を処理することでフォーカス制御用の評価値を作成する。そして、これら複数の領域から選択された領域の評価値を用いて、レンズユニット１０１を制御してピント合わせを行う。
【００１９】
画像メモリ１０３に保持された動画像データをＭＰＥＧコーデック実行部１０４によりＭＰＥＧデータへ圧縮し、データメモリ１０５に出力して保持させる。
【００２０】
また、ＭＰＥＧコーデック実行部１０４とは独立に、サーチコーデック実行部１０６により画像メモリ１０３から動画像データを読み込んでサーチ画像データを生成し、データメモリ１０５に出力して保持させる。
【００２１】
そして、分離多重化部１１１によりデータメモリ１０５からＭＰＥＧデータとサーチ画像データとを読み込んで多重化し、記録再生部１１２を介して記録媒体１１３に記録する。
【００２２】
通常再生時は、記録媒体１１３から記録再生部１１２により記録データを読み込み、エラー訂正処理を行う。その後、分離多重化部１１１によりＭＰＥＧデータとサーチ画像データとを分離してデータメモリ１０５に出力して一時的に保持させる。そして、ＭＰＥＧコーデック実行部１０４によりデータメモリ１０５からＭＰＥＧデータを読み込み、伸張処理を行った結果を画像メモリ１０３に出力して保持させる。表示出力部１１０は、画像メモリ１０３に保持されているＭＰＥＧデータを順次読み出し、表示装置に出力する。
【００２３】
サーチ再生（高速再生）時は、通常再生時と同様に、記録媒体１１３から記録再生部１１２により記録データを読み込み、エラー訂正処理を行う。その後、分離多重化部１１１によりＭＰＥＧデータとサーチ画像データとを分離してデータメモリ１０５に出力して一時的に保持させる。そして、サーチコーデック実行部１０６によりデータメモリ１０５からサーチ画像データを読み込み、画像メモリ１０３に出力して保持させる。表示出力部１１０は、画像メモリ１０３に保持されているサーチ画像データを順次読み出し、表示装置に出力する。
【００２４】
図２は、本実施形態に係る画像記録再生装置１００において、動画像のフォーカス位置に応じて拡大サーチ画像データを記録する場合のイメージ図である。本実施形態においては、ＭＰＥＧデータのＧＯＰ（Group Of Picture）単位にサーチ画像データを多重化して記録媒体１１３に記録する。通常はＧＯＰ内に含まれるＩフレーム（イントラフレーム）のＤＣ成分を記録している。
【００２５】
サーチ画像（０）、（１）は記録時にフォーカス検知部１０７によって検出された領域の画像をそれぞれ２０倍、１０倍に拡大した拡大サーチ画像である。すなわち、フォーカスされている近傍の拡大画像をサーチ画像としている。拡大サーチ画像には、拡大したことをユーザに認識させるためにフレーム枠２０１を重畳する。
【００２６】
それに対して、サーチ画像（２）は拡大処理なしに、動画像の特定フレームのＤＣ成分を記録した通常サーチ画像である。
【００２７】
記録開始時のＧＯＰ（ＧＯＰ０）に対して２０倍の拡大サーチ画像データを、次のＧＯＰ（ＧＯＰ１）に対して１０倍の拡大サーチ画像データを、それ以降のＧＯＰ（ＧＯＰ２）に対して１倍の通常サーチ画像データを記録する。このように記録時間に応じて拡大する領域を変化させ、記録開始から所定時間経過後には通常サーチ画像となるようにすることで、サーチ再生時に記録開始部分の視認性を高めることができる。
【００２８】
図３は、拡大サーチ画像データを記録する処理動作を説明するためのフローチャートである。まず、カウンタＮを「２」にリセットする（ステップＳ３０１）。カウンタＮは、記録時間によって変化するもので、拡大サーチ画像を生成する抽出領域を決定するためのものである。
【００２９】
次に、画像記録再生装置１００が記録動作を開始したか否かを判断する（ステップＳ３０２）。上記ステップＳ３０２において記録動作が開始されていなければ、記録動作を開始するまで待機する。
【００３０】
上記ステップＳ３０２において記録動作が開始されたならば、ＭＰＥＧコーデック実行部１０４でのエンコードがＩピクチャであるか否かを判断する（ステップＳ３０３）。
【００３１】
そして、上記ステップＳ３０３においてＩピクチャであれば、カウンタＮがＮ＞０を満たすか否かを判断する（ステップＳ３０４）。
【００３２】
上記ステップＳ３０４においてＮ＞０であれば、フォーカス検出部１０７によりフォーカス位置座標を検出する（ステップＳ３０５）。続いて、カウンタＮにＮ−１を代入する（ステップＳ３０６）。そして、上記ステップＳ３０５において抽出されたフォーカス位置とカウンタＮに応じて、サーチコーデック実行部１０６により抽出領域を決定して、画像メモリ１０３から必要な画像データを読み込んで、フレーム枠２０１を重畳した拡大サーチ画像データを生成する（ステップＳ３０７）。生成された拡大サーチ画像データはデータメモリ１０５に出力される。
【００３３】
また、上記ステップＳ３０４においてＮ＞０でなければ、サーチコーデック実行部１０６により通常サーチ画像データを生成する（ステップＳ３０８）。生成された通常サーチ画像データはデータメモリ１０５に出力される（ステップＳ３０８）。
【００３４】
その後、サーチ画像データとデータメモリ１０５に保持されているＭＰＥＧデータとを分離多重化部１１１により多重化する（ステップＳ３０９）。なお、上記ステップＳ３０３においてＩピクチャでなければ、サーチ画像データが生成されないので、分離多重化部１１１によりＮＵＬＬデータ又は１つ前のサーチ画像データとＭＰＥＧデータとを多重化する。
【００３５】
そして、上記ステップＳ３０９において多重化されたデータを記録再生部１１２を介して記録媒体１１３に記録し、ステップＳ３０２に戻る（ステップＳ３１０）。
【００３６】
なお、本実施形態ではカウンタＮを「２」で初期化したが、任意の整数値Ｍ（＝１、２、３、４、・・・、ｍ）にしてもよい。この場合、Ｎが１減るごとに拡大倍率を小さくするのではなく、Ｎが２や３など、所定数減るごとに拡大倍率を小さくするようにしてもよい。
【００３７】
また、本実施形態では、カウンタＮに応じて、フォーカス検知部１０７が検出したフォーカス位置座標を中心に、Ｎ＝２の場合は２０倍、Ｎ＝１の場合は１０倍、Ｎ＝０の場合は１倍となるように領域抽出を行ったが、任意の倍率となるように抽出してもよい。
【００３８】
（第２の実施形態）
上記第１の実施形態では、記録開始時のＧＯＰに対する拡大サーチ画像データの記録について説明したが、本実施形態では記録終了時のＧＯＰに対する拡大サーチ画像データの記録について説明する。
【００３９】
図４は、拡大サーチ画像データを記録する処理動作を説明するためのフローチャートである。まず、カウンタＮを「０」にリセットする（ステップＳ４０１）。カウンタＮは、記録時間によって変化するもので、拡大サーチ画像を生成する抽出領域を決定するためのものである。
【００４０】
次に、画像記録再生装置１００が記録動作を開始したか否かを判断する（ステップＳ４０２）。上記ステップＳ４０２において記録動作が開始されていなければ、記録動作を開始するまで待機する。
【００４１】
上記ステップＳ４０２において記録動作が開始されたならば、ＭＰＥＧコーデック実行部１０４でのエンコードがＩピクチャであるか否かを判断する（ステップＳ４０３）。
【００４２】
そして、上記ステップＳ４０３においてＩピクチャであれば、記録終了動作を行っているか否かを判断する（ステップＳ４０４）。ユーザから記録終了の指示があった場合に、すぐに記録を終了するのではなく、拡大サーチ画像データ及び通常再生画像データを一定期間だけ記録した後記録を終了する構成となっており、その動作を記録終了動作と称するものとする。
【００４３】
上記ステップＳ４０４において記録終了動作を行っていれば、フォーカス検出部１０７によりフォーカス位置座標を検出する（ステップＳ４０５）。続いて、カウンタＮにＮ＋１を代入する（ステップＳ４０６）。そして、上記ステップＳ４０５において抽出されたフォーカス位置とカウンタＮに応じて、サーチコーデック実行部１０６により抽出領域を決定して、画像メモリ１０３から必要な画像データを読み込んで、フレーム枠２０１を重畳した拡大サーチ画像データを生成する（ステップＳ４０７）。生成された拡大サーチ画像データはデータメモリ１０５に出力される。
【００４４】
また、上記ステップＳ４０４において記録終了動作を行っていなければ、サーチコーデック実行部１０６により通常サーチ画像データを生成する（ステップＳ４０８）。生成された通常サーチ画像データはデータメモリ１０５に出力される。
【００４５】
その後、サーチ画像データとデータメモリ１０５に保持されているＭＰＥＧデータとを分離多重化部１１１により多重化する（ステップＳ４０９）。なお、上記ステップＳ４０３においてＩピクチャでなければ、サーチ画像データが生成されないので、分離多重化部１１１によりＮＵＬＬデータ又は１つ前のサーチ画像データとＭＰＥＧデータとを多重化する。
【００４６】
そして、上記ステップＳ４０９において多重化されたデータを記録再生部１１２を介して記録媒体１１３に記録し、ステップＳ４０２に戻る（ステップＳ４１０）。
【００４７】
なお、本実施形態ではカウンタＮを「０」で初期化したが、任意の整数値Ｍ（＝０、１、２、３、４、・・・、ｍ）にしてもよい。
【００４８】
また、本実施形態では、カウンタＮに応じて、フォーカス検知部１０７が検出したフォーカス位置座標を中心に、Ｎ＝０の場合は１倍、Ｎ＝１の場合は１０倍、Ｎ＝２の場合は２０倍となるように領域抽出を行ったが、任意の倍率となるように抽出してもよい。
【００４９】
（第３の実施形態）
第３の実施形態では、第１の実施形態及び第２の実施形態で説明した拡大サーチ画像データの記録を行った場合のサーチ再生について説明する。図５は、画像記録再生装置１００におけるサーチ再生時のイメージ図である。
【００５０】
記録媒体１１３には、記録開始のＧＯＰをＧＯＰ０、記録終了のＧＯＰをＧＯＰｎとして、ＧＯＰ０、ＧＯＰ１、ＧＯＰ２、ＧＯＰ３、・・・、ＧＯＰｎ−２、ＧＯＰｎ−１、ＧＯＰｎのようにＭＰＥＧデータが記録されている。第１の実施形態及び第２の実施形態で説明した拡大サーチ画像データの記録を行った場合、サーチ画像（０）、（１）、（ｎ−１）、（ｎ）は拡大サーチ画像として記録されている。
【００５１】
このＧＯＰ０〜ＧＯＰｎをサーチ再生した場合、ＧＯＰ０に対するサーチ画像（０）は２０倍の拡大サーチ画像、ＧＯＰ１に対するサーチ画像（１）は１０倍の拡大サーチ画像、ＧＯＰ２に対するサーチ画像（２）は通常（１倍）のサーチ画像、・・・、ＧＯＰｎ−２に対するサーチ画像（ｎ−２）は通常（１倍）のサーチ画像、ＧＯＰｎ−１に対するサーチ画像（ｎ−１）は１０倍の拡大サーチ画像、ＧＯＰｎに対するサーチ画像（ｎ）は２０倍の拡大サーチ画像が表示される。
【００５２】
記録開始時のサーチ画像（０）、サーチ画像（１）、及び、記録終了時のサーチ画像（ｎ−１）、サーチ画像（ｎ）は拡大サーチ画像であり、既述したように、フレーム枠２０１が重畳されている。
【００５３】
このように記録時間に応じて領域を変化させた拡大サーチ画像データを記録することで、サーチ再生時に記録開始部分と記録終了部分のテープ位置を視認することが容易になる。特に、拡大サーチ画像にはフレーム枠２０１が重畳されているので、サーチ再生時に記録開始位置と記録終了位置をより直感的にユーザが視認することが可能である。
【００５４】
なお、上記実施形態では、拡大サーチ画像にフレーム枠２０１を重畳したが、フレーム枠を重畳しない拡大サーチ画像データを生成してもよい。また、拡大サーチ画像に、図６（ａ）に示すような文字６０１の描画を行ったり、図６（ｂ）に示すようなアイコン６０２の描画を行ったりして記録してもよい。
【００５５】
また、上記実施形態では、フォーカス位置座標を基準にして画像抽出を行った。一般的にユーザが視認したい被写体にフォーカスを合わせて撮影することから、フォーカス位置を基準にした領域から拡大サーチ画像データを生成し、記録することで、サーチ再生時に所望の画像又はテープ位置をユーザが視認することが、より一層容易になる。
【００５６】
ただし、画像抽出を行う領域は限定されるものではなく、例えば画像の中心座標を基準にして画像抽出を行ってもよい。一般的にユーザの着目点を画角の中心で撮影することが多いことから、画像の中心を含む領域から拡大サーチ画像データを生成し、記録することで、サーチ再生時に所望の画像又はテープ位置をユーザが視認することが、より一層容易になる。
【００５７】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５８】
この場合、記憶媒体から読み出されたプログラムコード自体が上述した実施形態の機能を実現することになり、プログラムコード自体及びそのプログラムコードを記憶した記憶媒体は本発明を構成することになる。
【００５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６２】
【図１】実施形態に係る画像記録再生装置の概略構成を示すブロック図である。
【図２】フォーカス位置に応じて拡大サーチ画像データを記録する場合のイメージ図である。
【図３】第１の実施形態における拡大サーチ画像データを記録する処理動作を説明するためのフローチャートである。
【図４】第２の実施形態における拡大サーチ画像データを記録する処理動作を説明するためのフローチャートである。
【図５】サーチ再生時のイメージ図である。
【図６】拡大サーチ画像に文字描画又はアイコン描画を行う例を説明するための図である。
【符号の説明】
【００６３】
１００  画像記録再生装置
１０１  レンズユニット
１０２  カメラ信号処理部
１０３  画像メモリ
１０４  ＭＰＥＧコーデック実行部
１０５  データメモリ
１０６  サーチコーデック実行部
１０７  フォーカス検知部
１０８  操作キー
１０９  ＣＰＵ
１１０  表示出力部
１１１  分離多重化部
１１２  記録再生部
１１３  記録媒体
【図１】
2007166549.tif 000003
【図２】
2007166549.tif 000004
【図３】
2007166549.tif 000005
【図４】
2007166549.tif 000006
【図５】
2007166549.tif 000007
【図６】
2007166549.tif 000008